(57)【特許請求の範囲】
【請求項１】
ＲＦＩＤ記録媒体を発行するＲＦＩＤ記録媒体発行装置において、
表面に等間隔に、前記ＲＦＩＤ記録媒体の位置検出用の検出マークが形成された長尺状の台紙と、
裏面に粘着剤層が形成されるとともに、前記検出マーク間の検出マーク近辺にＲＦＩＤインレットが内蔵され、かつ、前記台紙の一方の面において前記粘着剤層を介して剥離可能に仮着された第１の記録媒体片と、
裏面に粘着剤層が形成されるとともに、前記検出マーク間の長手方向の中央部位にＲＦＩＤインレットが内蔵され、かつ、前記台紙の他方の面において前記粘着剤層を介して剥離可能に仮着された第２の記録媒体片と、を備えた前記ＲＦＩＤ記録媒体と、
前記ＲＦＩＤ記録媒体を供給する媒体供給手段と、
前記媒体供給手段より下流側に設けられ、供給された前記第１および第２の記録媒体片の表面に少なくとも商品や送り先の情報を印字する第１および第２の印字手段と、
前記媒体供給手段より下流側であり、前記第１および第２の印字手段を含む部位に形成された搬送路と、
前記搬送路に沿って前記ＲＦＩＤ記録媒体を搬送する搬送手段と、
前記搬送路に設けられ、前記ＲＦＩＤ記録媒体の前記検出マークを検出し、前記ＲＦＩＤ記録媒体の位置を検出する検出手段と、
前記搬送路における前記ＲＦＩＤ記録媒体の一方の面側に設けられるとともに、前記ＲＦＩＤ記録媒体の第１および第２の記録媒体片に内蔵された前記ＲＦＩＤインレットに対する読取りおよび前記商品や送り先に関する情報の書込みを行うＲＦＩＤ読取り・書込み手段と、
を備えたことを特徴とするＲＦＩＤ記録媒体発行装置。
【請求項２】
ＲＦＩＤ記録媒体を発行するＲＦＩＤ記録媒体発行装置を用いたＲＦＩＤ記録媒体発行方法において、
表面に等間隔に、前記ＲＦＩＤ記録媒体の位置検出用の検出マークが形成された長尺状の台紙と、
裏面に粘着剤層が形成されるとともに、前記検出マーク間の検出マーク近辺にＲＦＩＤインレットが内蔵され、かつ、前記台紙の一方の面において前記粘着剤層を介して剥離可能に仮着された第１の記録媒体片と、
裏面に粘着剤層が形成されるとともに、前記検出マーク間の長手方向の中央部位にＲＦＩＤインレットが内蔵され、かつ、前記台紙の他方の面において前記粘着剤層を介して剥離可能に仮着された第２の記録媒体片と、を備えたＲＦＩＤ記録媒体と、
前記ＲＦＩＤ記録媒体を供給する媒体供給手段と、
前記媒体供給手段より下流側に設けられ、供給された前記第１および第２の記録媒体片の表面に少なくとも商品や送り先の情報を印字する第１および第２の印字手段と、
前記媒体供給手段より下流側であり、前記第１および第２の印字手段を含む部位に形成された搬送路と、
前記搬送路に沿って前記ＲＦＩＤ記録媒体を搬送する搬送手段と、
前記搬送路に設けられ、前記ＲＦＩＤ記録媒体の前記検出マークを検出し、前記ＲＦＩＤ記録媒体の位置を検出する検出手段と、
前記搬送路における前記ＲＦＩＤ記録媒体の一方の面側に設けられるとともに、前記ＲＦＩＤ記録媒体の第１および第２の記録媒体片に内蔵された前記ＲＦＩＤインレットに対する読取りおよび前記商品や送り先に関する情報の書込みを行うＲＦＩＤ読取り・書込み手段と、
を備えたＲＦＩＤ記録媒体発行装置を用いたＲＦＩＤ記録媒体発行方法であって、
前記第１の印字手段により第１の記録媒体片の表面に所望の情報を印字した後、下流の前記ＲＦＩＤ読取り・書込み手段により第１の記録媒体片の前記ＲＦＩＤインレットに対し前記印字した情報に関する詳細の情報を書き込み、
さらに、下流に搬送して前記ＲＦＩＤ読取り・書込み手段により第２の記録媒体片の前記ＲＦＩＤインレットに対し所望の情報を書き込んだ後、
さらに、下流に搬送して前記第２の記録媒体片の前記ＲＦＩＤインレットに書き込んだ情報のうちから所望の情報を前記第２の記録媒体片の表面に印字することを特徴とするＲＦＩＤ記録媒体発行方法。
【請求項３】
前記ＲＦＩＤ読取り・書込み手段による第１または第２の記録媒体片に対する読取り・書込み時、第１または第２の記録媒体片のいずれか一方がエラーとなった場合、第１および第２の記録媒体片の双方の表面にエラーマークを印字することを特徴とする請求項２に記載のＲＦＩＤ記録媒体発行方法。
【請求項４】
ＲＦＩＤ記録媒体において、
表面に等間隔に、前記ＲＦＩＤ記録媒体の位置検出用の検出マークが形成された長尺状の台紙と、
裏面に粘着剤層が形成されるとともに、前記検出マーク間の検出マーク近辺にＲＦＩＤインレットが内蔵され、かつ、前記台紙の一方の面において前記粘着剤層を介して剥離可能に仮着された第１の記録媒体片と、
裏面に粘着剤層が形成されるとともに、前記検出マーク間の長手方向の中央部位にＲＦＩＤインレットが内蔵され、かつ、前記台紙の他方の面において前記粘着剤層を介して剥離可能に仮着された第２の記録媒体片と、
を備えたことを特徴とするＲＦＩＤ記録媒体。
【発明の詳細な説明】
【技術分野】
【０００１】
本発明は、特に、表裏両面にＲＦＩＤインレットが内蔵されたＲＦＩＤ記録媒体に対し、表側あるいは裏側のいずれか一方より所望の情報の書込みを可能としたＲＦＩＤ記録媒体発行装置およびＲＦＩＤ記録媒体発行方法に関する。
【背景技術】
【０００２】
従来、医薬品の情報や物流における商品情報、あるいは、送り先の情報などをバーコード変換してラベルに印字し、前記情報がバーコード印字されたラベルを貼り付けて表示するようなことが行われていた。
しかしながら、バーコードによる表示可能な情報量に限りがあるため、記憶可能な情報量が多いＲＦＩＤ（Ｒａｄｉｏ  Ｆｒｅｑｕｅｎｃｙ  Ｉｄｅｎｔｉｆｉｃａｔｉｏｎ）に各種情報を記憶すると共に、記憶した情報を目視できるよう印字するようなことが行われている（例えば、特許文献１参照）。
特許文献１の「ＲＦＩＤ印字用紙用プリンター」によれば、ＲＦＩＤ印字用紙（ＲＦＩＤ記録媒体）の長さ方向および幅方向のどの位置にどのような大きさのＲＦＩＤインレットが組み込まれていても、ＲＦＩＤインレットを簡単に検出可能とすべく、用紙本体（記録媒体片）の裏面にアンテナ指示マークを設け、このアンテナ指示マークをアンテナ検出部により検出することにより、ＲＦＩＤインレット(アンテナ)の位置や大きさが異なっても、読取り・書込み部におけるＲＦＩＤアンテナとの間の交信特性を適正に維持可能としたものである。
また、他方、高価なＲＦＩＤの採用を避け、情報を剥離基材(記録媒体)の両面に印字することにより、コスト削減を図ったような配送伝票用ラベル(記録媒体)が知られている(例えば、特許文献２参照)。
特許文献２によれば、剥離基材（台紙）の一方面に仮着された第１の表面基材と、剥離基材の多方面に裏面が擬似接着された第２の表面基材と、を備え、第１の印字手段により第１の表面基材に所望情報を印字し、かつ、第２の印字手段により第２の表面基材に所望情報を印字するようにしている。
ところで、個人情報保護法の施行により、表面には表示（印字）せずに記憶させる情報量が増えるとともに、記憶させた情報のうちから、必要な情報を目視可能に表示させる要望が高まってきている。
しかしながら、上述したように、用紙本体（記録媒体片）の裏面にアンテナ指示マークを設け、表面（片面）に設けた用紙本体（記録媒体片）のＲＦＩＤインレットに情報を書き込むような「ＲＦＩＤ印字用紙プリンター」はあるものの、両面にＲＦＩＤインレットおよび印字表示面を備えるとともに、一つのＲＦＩＤ読取り・書込み装置を使って用紙本体（記録媒体片）のＲＦＩＤインレットに対し情報を書き込むようなＲＦＩＤ記録媒体発行装置は存在しなかった。
【先行技術文献】
【特許文献】
【０００３】
【特許文献１】特開２００７−２９６７４０号
【特許文献２】特開２０１０−３０１１２号
【発明の概要】
【発明が解決しようとする課題】
【０００４】
本発明は、上記の諸問題に着目して成されたものであり、表裏両面にＲＦＩＤインレットが内蔵されたＲＦＩＤ記録媒体に対し、表側あるいは裏側のいずれか一方より所望の情報の書込みを可能としたＲＦＩＤ記録媒体発行装置およびＲＦＩＤ記録媒体発行方法を提供することを課題とする。
【課題を解決するための手段】
【０００５】
本発明の第１の発明に係るＲＦＩＤ記録媒体発行装置は、ＲＦＩＤ記録媒体を発行するＲＦＩＤ記録媒体発行装置において、表面に等間隔に、前記ＲＦＩＤ記録媒体の位置検出用の検出マークが形成された長尺状の台紙と、裏面に粘着剤層が形成されるとともに、前記検出マーク間の検出マーク近辺にＲＦＩＤインレットが内蔵され、かつ、前記台紙の一方の面において前記粘着剤層を介して剥離可能に仮着された第１の記録媒体片と、裏面に粘着剤層が形成されるとともに、前記検出マーク間の長手方向の中央部位にＲＦＩＤインレットが内蔵され、かつ、前記台紙の他方の面において前記粘着剤層を介して剥離可能に仮着された第２の記録媒体片と、を備えたＲＦＩＤ記録媒体と、前記ＲＦＩＤ記録媒体を供給する媒体供給手段と、前記媒体供給手段より下流側に設けられ、供給された前記第１および第２の記録媒体片の表面に少なくとも商品や送り先の情報を印字する第１および第２の印字手段と、前記媒体供給手段より下流側であり、前記第１および第２の印字手段を含む部位に形成された搬送路と、前記搬送路に沿って前記ＲＦＩＤ記録媒体を搬送する搬送手段と、前記搬送路に設けられ、前記ＲＦＩＤ記録媒体の前記検出マークを検出し、前記ＲＦＩＤ記録媒体の位置を検出する検出手段と、前記搬送路における前記ＲＦＩＤ記録媒体の一方の面側に設けられるとともに、前記ＲＦＩＤ記録媒体の第１および第２の記録媒体片に内蔵された前記ＲＦＩＤインレットに対する読取りおよび前記商品や送り先に関する情報の書込みを行うＲＦＩＤ読取り・書込み手段と、を備えたことを特徴とする。
また、第２の発明に係るＲＦＩＤ記録媒体発行方法は、ＲＦＩＤ記録媒体を発行するＲＦＩＤ記録媒体発行装置を用いたＲＦＩＤ記録媒体発行方法において、表面に等間隔に、前記ＲＦＩＤ記録媒体の位置検出用の検出マークが形成された長尺状の台紙と、裏面に粘着剤層が形成されるとともに、前記検出マーク間の検出マーク近辺にＲＦＩＤインレットが内蔵され、かつ、前記台紙の一方の面において前記粘着剤層を介して剥離可能に仮着された第１の記録媒体片と、裏面に粘着剤層が形成されるとともに、前記検出マーク間の長手方向の中央部位にＲＦＩＤインレットが内蔵され、かつ、前記台紙の他方の面において前記粘着剤層を介して剥離可能に仮着された第２の記録媒体片と、を備えたＲＦＩＤ記録媒体と、前記ＲＦＩＤ記録媒体を供給する媒体供給手段と、前記媒体供給手段より下流側に設けられ、供給された前記第１および第２の記録媒体片の表面に少なくとも商品や送り先の情報を印字する第１および第２の印字手段と、前記媒体供給手段より下流側であり、前記第１および第２の印字手段を含む部位に形成された搬送路と、前記搬送路に沿って前記ＲＦＩＤ記録媒体を搬送する搬送手段と、前記搬送路に設けられ、前記ＲＦＩＤ記録媒体の前記検出マークを検出し、前記ＲＦＩＤ記録媒体の位置を検出する検出手段と、前記搬送路における前記ＲＦＩＤ記録媒体の一方の面側に設けられるとともに、前記ＲＦＩＤ記録媒体の第１および第２の記録媒体片に内蔵された前記ＲＦＩＤインレットに対する読取りおよび前記商品や送り先に関する情報の書込みを行うＲＦＩＤ読取り・書込み手段と、を備えたＲＦＩＤ記録媒体発行装置を用いたＲＦＩＤ記録媒体発行方法であって、前記第１の印字手段により第１の記録媒体片の表面に所望の情報を印字した後、下流の前記ＲＦＩＤ読取り・書込み手段により第１の記録媒体片の前記ＲＦＩＤインレットに対し前記印字した情報に関する詳細の情報を書き込み、さらに、下流に搬送して前記ＲＦＩＤ読取り・書込み手段により第２の記録媒体片の前記ＲＦＩＤインレットに対し所望の情報を書き込んだ後、さらに、下流に搬送して前記第２の記録媒体片の前記ＲＦＩＤインレットに書き込んだ情報のうちから所望の情報を前記第２の記録媒体片の表面に印字することを特徴とする。
また、ＲＦＩＤ読取り・書込み手段による第１または第２の記録媒体片に対する読取り・書込み時、第１または第２の記録媒体片のいずれか一方がエラーとなった場合、第１および第２の記録媒体片の双方の表面にエラーマークを印字するようにできる。
また、ＲＦＩＤ記録媒体において、表面に等間隔に、前記ＲＦＩＤ記録媒体の位置検出用の検出マークが形成された長尺状の台紙と、裏面に粘着剤層が形成されるとともに、前記検出マーク間の検出マーク近辺にＲＦＩＤインレットが内蔵され、かつ、前記台紙の一方の面において前記粘着剤層を介して剥離可能に仮着された第１の記録媒体片と、裏面に粘着剤層が形成されるとともに、前記検出マーク間の長手方向の中央部位にＲＦＩＤインレットが内蔵され、かつ、前記台紙の他方の面において前記粘着剤層を介して剥離可能に仮着された第２の記録媒体片と、を備えたことを特徴とする。
【発明の効果】
【０００６】
本発明の第１の発明に係るＲＦＩＤ記録媒体発行装置は、台紙の検出マーク間の表裏面に、ＲＦＩＤインレットが内蔵された第１および第２の記録媒体片を仮着し、しかも、第１および第２のＲＦＩＤインレットは、ずらした位置に配設されているため、一つの読取り・書込み手段にて台紙の表裏に設けられた第１および第２のＲＦＩＤインレットに対する書き込みが可能であるという効果がある。
また、第２の発明に係るＲＦＩＤ記録媒体発行方法は、第１の印字手段により第１の記録媒体片の表面に所望の情報を印字した後、下流の前記ＲＦＩＤ読取り・書込み手段により第１の記録媒体片のＲＦＩＤインレットに対し印字した情報に関する詳細の情報を書き込み、さらに、下流に搬送してＲＦＩＤ読取り・書込み手段により第２の記録媒体片のＲＦＩＤインレットに対し所望の情報を書き込んだ後、さらに、下流に搬送して第２の記録媒体片のＲＦＩＤインレットに書き込んだ情報のうちから所望の情報を第２の記録媒体片の表面に印字するようにしたので、表裏の第１および第２の記録媒体片の表面への所望情報の表示、およびＲＦＩＤインレットへの詳細情報の書込みが確実に行えるという効果がある。
さらに、ＲＦＩＤ読取り・書込み手段による第１または第２の記録媒体片に対する読取り・書込み時、第１または第２の記録媒体片のいずれか一方がエラーとなった場合、第１および第２の記録媒体片の双方の表面にエラーマークを印字すれば、同じ対象物に貼り付ける２枚１組のペアの一方の記録媒体片がエラーとなった場合であっても、誤って貼ってしまう虞が軽減されるとともに、エラーとなった記録媒体片のみを不使用にでき、正常な情報が書き込めた記録媒体片は使用に供することができるので、材料費のコストアップが抑えられるようになる。
【図面の簡単な説明】
【０００７】
【図１】本発明に係るＲＦＩＤ記録媒体発行装置の一実施の形態の構成例を示す図である。
【図２】同、図１中、矢示ＩＩ方向より見た拡大平面図である。
【図３】同、図２中、矢示ＩＩＩ−ＩＩＩ線に沿う断面図である。
【図４】同、ＲＦＩＤ記録媒体の先端部が待機位置から検出手段にて検出される位置にバックフィードするまでの状態を示す動作説明図である。
【図５】ＲＦＩＤ記録媒体の先端部が検出手段にて検出された位置より第１および第２のＲＦＩＤインレットに情報を書き込み、かつ、第１の記録媒体片に所望の情報を書き込むまでの状態を示す動作説明図である。
【図６】同、第２の記録媒体片に印字を施すととともに、先頭のＲＦＩＤ記録媒体を切断するまでの状態を示す動作説明図である。
【発明を実施するための最良の形態】
【０００８】
図１は、本発明が適用されるＲＦＩＤ記録媒体発行装置の一実施の形態の構成例を示している。同図に示すように、ＲＦＩＤ記録媒体発行装置（以下、適宜、単に「発行装置」と称する）１は、後述するＲＦＩＤ（Ｒａｄｉｏ  Ｆｒｅｑｕｅｎｃｙ−Ｉｄｅｎｔｉｆｉｃａｔｉｏｎ）が内蔵されたＲＦＩＤ記録媒体(以下、適宜、「記録媒体」と称する）５０を供給する媒体供給手段２と、記録媒体５０の一方の面（図１における下面）に所定の印字データを印字する第１の印字手段３と、記録媒体５０の他方の面（図１における上面）に所定の印字データを印字する第２の印字手段４と、記録媒体５０を両面から回動自在に挟持して第１および第２の印字手段３、４側に案内する送りローラ５と、検出手段６と、ＲＦＩＤ読取り・書込み手段７と、切断手段８と、前記各部を制御する制御手段９と、を備えている。
【０００９】
ここで主に、図２および図３を参照して、記録媒体５０につき説明する。
図２は、図１中、矢示ＩＩ方向より見た拡大平面図、図３は、図２中、矢示ＩＩＩ−ＩＩＩ線に沿う断面図である。
同図に示すように、記録媒体５０は、長尺状の台紙５１と、台紙５１の少なくとも一方の面に予め等間隔に印刷された位置検出用の矩形状の検出マーク５２と、台紙５１の一方の面に仮着された第１の記録媒体片５３と、台紙５１の他方の面に仮着された第２の記録媒体片５４と、を備える。
第１の記録媒体片５３は、裏面に粘着財層５５を塗布形成し、表面に感熱発色層５６を塗布形成するとともに、検出マーク５２間における台紙５１の一方の面（図３における下面）に前記粘着剤層５５を介して仮着したものであり、検出マーク５２間が一葉の記録媒体片５３となって、台紙５１の長手方向Ｌに連続して仮着されている。
また、第１の記録媒体片５３には、一端側（図２、図３においては、長手方向Ｌの左側）の検出マーク５２の近辺に図示省略のＩＣチップおよびアンテナを備えたＲＦＩＤインレット５７が形成されており、後述するＲＦＩＤ読取り・書込み手段７との間で送受信を行って図示省略のＩＣチップからのデータの読み取り、およびＩＣチップへのデータの書込みが可能となっている。
第２の記録媒体片５４は、第１の記録媒体片５３と同様、裏面に粘着剤層５８、表面に感熱発色層５９が形成されるとともに、ＲＦＩＤインレット６０が備えられており、このＲＦＩＤインレット６０は、台紙５１の長手方向Ｌにおける検出マーク５２間の中央部位に形成されている。
すなわち、検出マーク５２間における台紙５１の他方の面（図３における上面）に粘着剤層５８を介して第２の記録媒体片５４が一葉仮着され、これが長手方向Ｌに連続して設けられるものであり、台紙５１の裏面および表面に仮着された第１および第２の記録媒体片５３、５４は表面側の感熱発色層５６、５９が表出するとともに、第１の記録媒体片５３のＲＦＩＤインレット５８と第２の記録媒体片５４のＲＦＩＤインレット６０が検出マーク５２間において重なることのない、ずれた位置に配設されるものである。
なお、記録媒体５０は、図示省略の巻芯にロール状に巻回して形成してある。
【００１０】
図１に戻って、「媒体供給手段」としての媒体供給軸２は、装着された前記記録媒体５０を第１および第２の印字手段３、４側へ繰り出せるよう回転可能に保持する。
【００１１】
「第１の印字手段」としての第１の印字部３は、サーマルヘッド１０と、記録媒体５０をサーマルヘッド１０との間で押圧するプラテン１１とを備え、プラテン１１の回動により搬送方向（矢示Ｆ方向）、または、搬送逆方向(矢示Ｂ方向)へ記録媒体５０を搬送するようになっている。なお、第１の印字部３のサーマルヘッド１０は、記録媒体５０の裏面（図１における台紙５１の下方）側に設けられており、第１の記録媒体片５３に対し所望の印字データを印字するようになっている。
【００１２】
「第２の印字手段」としての第２の印字部４は、第２の記録媒体片５４側に設けられたサーマルヘッド１２と、記録媒体５０をサーマルヘッド１２との間で押圧するプラテン１３とを備え、プラテン１３の回動により搬送方向（矢示Ｆ方向）、または、搬送逆方向(矢示Ｂ方向)へ記録媒体５０を搬送しながら第２の記録媒体片５４に対し所望の印字データを印字するようになっている。
なお、第１および第２のプラテン１１、１３とも別個のステッピングモータ（図示省略）に接続され、所望ステップ数の回動を可能にするとともに、ステップ数を計数（カウント）できるようになっている。
【００１３】
送りローラ５は、記録媒体５０を両面から回動自在に挟持して第１および第２の印字部３、４（搬送方向Ｆ）側に搬送(フィード)、および印字部３、４から媒体供給軸２(搬送逆方向Ｂ)側へ逆搬送（バックフィード）するためのフィードローラであり、図示省略のステッピングモータに接続されている。そして、所望ステップ数の回動を可能にするとともに、ステップ数を計数（カウント）できるようになっている。
【００１４】
「検出手段」としての反射センサ６は、所定の光を出射する発光部６ａ、およびこの発光部６ａから出射された光の記録媒体５０からの反射光を受光し、受光した光の強度（単位時間当たりの受光量）に対応する電気信号を出力する受光部６ｂからなり、記録媒体５０の裏面（図１における下部）側に発光部６ａと受光部６ｂを配し、記録媒体５０の裏面に予め印刷された前記検出マーク５２を受光部６ｂの受光量に基づいて検出する「位置検出用センサ」である。
【００１５】
「ＲＦＩＤ読取り・書込み手段」としてのＲＦＩＤ読取り・書込み部７は、前記記録媒体５０の第１の記録媒体片５３のＲＦＩＤインレット５７、および第２の記録媒体片５４のＲＦＩＤインレット６０に対する送受信を行う装置であり、図示省略のアンテナを介して第１および第２のＲＦＩＤインレット５７、６０の図示省略のＩＣチップの固定ＩＤを読み取るとともに、読み取りができたＩＣチップ（図示省略）に対して図示省略の商品番号や送り先などの必要項目情報（所望の情報）を送信・書き込むようになっている。
【００１６】
「切断手段」としてのカッター部８は、例えば、上刃８ａに対して下刃８ｂを進退移動させることにより前記記録媒体５０を切断して一葉の第１および第２の記録媒体片５３、５４とするギロチン式の「切断機構」であり、第２の印字部４の下流に設けられている。
【００１７】
「制御手段」としての制御部９は、第１および第２の印字部３、４のサーマルヘッド１０、１２やプラテン１１、１３、送りローラ５、反射センサ６、読取り・書込み部７、カッター部８などの各部と図示省略の信号ケーブルを介して接続され、以下の制御を行うようになっている。
１）送りローラ５を回動して記録媒体５０を第１の印字部３側(矢示Ｆ方向)へ送る、および第１および第２の印字部３、４側から媒体供給軸２側(矢示Ｂ方向)へ記録媒体５０をバックフィードする。
２）反射センサ６にて検出マーク５２を検出するとともに、プラテン１１、１３を所定数回転して記録媒体５０を第１および第２の印字部３、４の所望位置に位置決めし、所望の情報を第１および第２の記録媒体片５３、５４に印字するとともに、印字されてカッター部８に搬送された記録媒体５０を所望の位置で切断する。
３)所定のタイミングで第１または第２のサーマルヘッド１０、１２をヘッドアップ、すなわち、第１および第２のプラテン１１、１３よりサーマルヘッド１０、１２を離反する。
４）第１の記録媒体片５３のＲＦＩＤインレット５７が読取り・書込み部７の直下に近接したとき、ＩＣチップ（図示省略）に対する書込みが可能であるか否か判定し、書込みが可能と判定された場合は、読取り・書込み部７を介してＲＦＩＤインレット５７に対して所望の情報の書込みを行う。
５）前項４）と同様、第２の記録媒体片５４のＲＦＩＤインレット６０が読取り・書込み部７の直下に近接したとき、ＩＣチップ（図示省略）に対する書込みが可能であるか否か判定し、書込みが可能と判定された場合は、読取り・書込み部７を介してＲＦＩＤインレット６０に対して所望の情報の書込みを行う。
６）第１および第２のＲＦＩＤインレット５７、６０のＩＣチップ（図示省略）に対する読取り・書込み部７による書込みができたか否か判定し、いずれか一方でも書き込みエラーとなった場合は、第１および第２の記録媒体片５３、５４の両方を第１および第２の印字部２、３に戻して「エラーの記録媒体片」である旨（例えば、「ＮＧ」）を印字する。
なお、送りローラ５から第２の印字部４までの間は、記録媒体５０が搬送される「搬送路」となっている。
また、送りローラ５、ならびに第１および第２のプラテン１１、１３により、記録媒体５０を搬送方向Ｆおよび搬送逆方向Ｂに搬送する「搬送手段」が形成されるものである。
【００１８】
次に、主に、図４ないし図６に基づき、ＲＦＩＤ記録媒体発行装置を用いてＲＦＩＤが内蔵された記録媒片を発行するＲＦＩＤ記録媒体発行方法につき説明する。
なお、以下においては、台紙５１、粘着剤層５５、５８、感熱発色層５６、５９を省略してある。
図４は、記録媒体５０がカット位置Ｚにおいてカッター部８により切断された待機位置［図４（ａ）］から、反射センサ６にて記録媒体５０の先端部５０ａが検出される位置までバックフィード（矢示Ｂ方向）するまでの動作説明図であり、以下の動作を行う。
１）第１および第２の印字部３、４のサーマルヘッド１０、１２をヘッドアップする。
２）送りローラ５を回転し、記録媒体５０を搬送逆方向（矢示Ｂ方向）にバックフィードする。
３）前項２）のバックフィード時、反射センサ６により記録媒体５０の検出マーク５２を確認する。検出マーク５２を検出した後、送りローラ５を所定数回転して台紙５１が検出された場合は、引き続きバックフィードしながら次の検出マーク５１を検出する［図４（ｂ）］。
他方、検出マーク５１を検出して所定数回転したときに、受光部６ｂへの反射光の受光がなかった場合、記録媒体５０の先端部５０ａが検出されたものと判定して送りローラ５の回転を停止する［図４（ｃ）］。
【００１９】
図５は、記録媒体５０の先端部５０ａが反射センサ６により検出された時点［図４（ｃ）］から搬送方向Ｆへの搬送に転じ、先頭（１枚目）の記録媒体５０−１のＲＦＩＤインレット５７、６０に情報を書き込む動作説明図であり、以下の動作を行う。
１）第１および第２のサーマルヘッド１０、１２をヘッドアップ、すなわち、プラテン１１、１３側へ接近する［図５（ａ）］。
２）送りローラ５をの回転数を計数（カウント）しながら記録媒体５０を搬送方向Ｆへ搬送する。
３）先頭（１枚目）の記録媒体５０−１の第１の記録媒体片５３の表面に、第１のサーマルヘッド１０を介して所望の情報を印字しながら搬送方向Ｆへ搬送する。
なお、第１の記録媒体片５３への印字が終了した時点で第１のサーマルヘッド１０は、ヘッドアップしてもよい。ヘッドアップすることにより、２枚目の記録媒体５０−２の感熱発色層５６の表面をサーマルヘッド１０の余熱やプラテン側への押圧力等により汚す恐れが軽減される。
４）第１の記録媒体片５３のＲＦＩＤインレット５７が読取り・書込み部７の直下に到達したとき印字動作を一時停止し、ＲＦＩＤインレット５７に対し、印字した所望情報の詳細を書き込む［図５（ｂ）］。
所望情報の書き込みが正常に終了した場合は印字を再開し、引き続き搬送方向Ｆに記録媒体５０を搬送する。
５）第２の記録媒体片５４のＲＦＩＤインレット６０が読取り・書込み部７の直下に到達したときＲＦＩＤインレット６０に対し、これから印字する所望情報の詳細を書き込む［図５（ｃ）］。
【００２０】
図６は、第２の記録媒体片５４の表面に印字を施し、所望情報を書き込んだ先頭の記録媒体５０−１を切断するまでの動作説明図であり、以下の動作を行う。
１）先頭の記録媒体５０−１を第２の印字部４に位置決めし［図６（ａ）］、搬送方向Ｆに記録媒体５０を搬送しながら第２の印字媒体片５４の表面に、第２のＲＦＩＤインレット６０に書き込んだ情報のうちから所望の情報を印字する。
２）搬送を継続し、切断位置Ｚに先頭の記録媒体５０−１の後端部の切断箇所を位置決めする［図６（ｂ）］。
３）カッター部８の上刃８ａに対して下刃８ｂを進退動して先頭の記録媒体５０−１を切断し一葉の「記録媒体片」を作成するものであり［図６（ｃ）］、この状態は、印字開始前の待機状態を示す図４（ａ）と同様の状態であり、待機位置には、２枚目の記録媒体５０−２が位置決めされた状態となっている。
切断された一葉の「記録媒体片」には、第１および第２の記録媒体片５３、５４が形成されており、台紙５１より剥がすと各々の粘着剤層５５、５８が露出し、商品や配送物などに貼り付けができるようになっている。
【００２１】
なお、上述は、第１および第２のＲＦＩＤインレット５７、６０に対する書き込みが正常だった場合につき説明したが、以下に書き込みエラーが生じた場合の処理を説明する。
１）先頭の記録媒体５０−１の第１のＲＦＩＤインレット５７に対し所望情報を書き込んだ際［図５（ｂ）］にエラーとなった場合、制御部９の図示省略のＲＡＭに「第１のインレットの書込みエラーフラグ」をセットし、以降の第１の記録媒体片５３に対する印字は再開しないで搬送方向Ｆに記録媒体５０を搬送する。
２）先頭の記録媒体５０−１の第２のＲＦＩＤインレット６０に対し所望情報を書き込んだ際［図５（ｃ）］にエラーとなった場合、制御部９の図示省略のＲＡＭに「第２のインレットの書込みエラーフラグ」をセットし、搬送方向Ｆに記録媒体５０を搬送する。
３）先頭の記録媒体５０−１が第２の印字部４に位置決めされたとき［図６（ａ）］、図示省略のＲＡＭの第１および第２のインレットの書込みエラーフラグ（図示省略）にフラグが立っているか否かを判定し、いずれかにフラグが立っていた場合は、搬送方向Ｆに記録媒体５０を搬送しながら第２の印字媒体片５４の表面に図示省略の「エラーマーク（例えば、「ＮＧ」や「Ｘ」）」を印字する。
４）第２の印字媒体５４にエラーマークを印字後、送りローラ５を逆回転し先頭の記録媒体５０−１の先端部５０ａを第１のサーマルヘッド１０に位置決めする［図６（ａ）］。
５）プラテン１１および送りローラ５の回転を正回転に転じ、記録媒体５０を搬送方向Ｆに搬送しながら第１の記録媒体片５３の表面にエラーマーク（図示省略）を印字する。
６）搬送方向Ｆへの搬送を継続し、切断位置Ｚに先頭の記録媒体５０−１の後端部の切断箇所を位置決めする［図６（ｂ）］。
７）先頭の記録媒体５０−１を切断する。
切断された記録媒体５０の第１および第２の記録媒体片５３、５４の表面にはエラー・マーク（図示省略）が印字されているため、所望の情報が記憶されていない「不正のＲＦＩＤ記録媒体片」を商品や物流の段ボール等の配送品に貼り付ける虞が軽減される。
なお、本実施の形態のエラー処理は、同じ商品あるいは配送品などの異なった面に第１および第２の記録媒体片５３、５４を貼り付けるため、いずれか一方のＲＦＩＤインレット５７，６０に対する書き込みエラーとなった場合、第１および第２の記録媒体片５３、５４の両方を「エラー」とした例で説明した。
【００２２】
以下では、エラーとなった「記録媒体片」のみに図示省略のエラーマークを印字するエラー処理につき説明する。
１）先頭の記録媒体５０−１の第１のＲＦＩＤインレット５７に対しＲＦＩＤ読取り・書込み部７を介して所望情報を書き込んだ際［図５（ｂ）］エラーとなった場合、印字を停止するとともに、プラテン１１および送りローラ５を逆回転に転じ記録媒体５０を搬送方逆向（矢示Ｂ方向）へ搬送し、第１のサーマルヘッド１０に先頭の記録媒体５０−１の先端部５０ａを位置決めする。
２）プラテン１１および送りローラ５を正回転に転じ、記録媒体５０を搬送方向Ｆへ搬送しながら第１の
記録媒体片５３の表面にエラーマーク（図示省略）を印字する。
３）第１のＲＦＩＤインレット５０への書き込みは行わないでスキップし、ＲＦＩＤ読取り・書込み部７に第２のＲＦＩＤインレット６０を位置決めする［図５（ｃ）］。
４）第２のＲＦＩＤインレット６０に対し所望情報の書き込みが正常に行われた場合は、搬送方向Ｆに記録媒体５０を搬送しながら第２のサーマルヘッド１２を介して第２の記録媒体片５４の表面に所望の情報を印字する。
他方、第２のＲＦＩＤインレット６０に対する書き込み時エラーとなった場合は、第２のサーマルヘッド１２を介して第２の記録媒体片５４の表面にエラーマークを印字する
５）印字した先頭の記録媒体５０−１は、切断位置Ｚに先頭の記録媒体５０−１の後端部の切断箇所を位置決めする［図６（ｂ）］。
６）先頭の記録媒体５０−１を切断する。
切断された記録媒体５０の第１および第２の記録媒体片５３、５４のうち、エラーとなった「記録媒体片」の表面にはエラー・マーク（図示省略）が印字されているため、所望の情報が記憶されていない「不正のＲＦＩＤ記録媒体片」を商品や物流の段ボール等の配送品に貼り付ける虞が軽減されるとともに、正常な「記録媒体片」は商品等に貼り付けて表示に供することができるため、無駄な「記録媒体片」を減らすことによりコストアップの軽減が図れる。
【００２３】
上述したように、台紙５１の検出マーク５２間の表裏面に、ＲＦＩＤインレット５７、６０が内蔵された第１および第２の記録媒体片５３、５４を仮着し、しかも、第１および第２のＲＦＩＤインレット５７、６０は、長手方向Ｌにおいてずらした位置に配設されているため、一つの読取り・書込み部７にて台紙５１の表裏に設けられた第１および第２のＲＦＩＤインレット５７、６０に対する書き込みが可能となる。
【００２４】
また、上記実施の形態の構成及び動作は例であって、本発明の趣旨を逸脱しない範囲で適宜変更することができることは言うまでもない。
【符号の説明】
【００２５】
Ｆ    搬送方向（フィード方向）
Ｂ    搬送逆方向（バックフィード方向）
Ｌ    台紙５１の長手方向
Ｚ    切断位置
Ｓ    検出手段６による検出位置
１    ＲＦＩＤ記録媒体発行装置（発行装置）
２    媒体供給手段（媒体供給軸）
３    第１の印字手段（第１の印字部）
４    第２の印字手段（第２の印字部）
５    送りローラ
６    検出手段（位置検出用の反射センサ）
６ａ  発光部
６ｂ  受光部
７    読取り・書込み手段（読取り・書込み部）
８    切断手段（カッター部）
８ａ  上刃
８ｂ  下刃
９    制御手段（制御部）
１０  サーマルヘッド
１１  プラテン
１２  サーマルヘッド
１３  プラテン
５０  ＲＦＩＤ記録媒体（記録媒体）
５１  台紙
５２  検出マーク
５３  第１の記録媒体片
５４  第２の記録媒体片
５５  粘着剤層
５６  感熱発色層
５７  ＲＦＩＤインレット
５８  粘着剤層
５９  感熱発色層
６０  ＲＦＩＤインレット
【図１】
0005681064.tif 000002
【図２】
0005681064.tif 000003
【図３】
0005681064.tif 000004
【図４】
0005681064.tif 000005
【図５】
0005681064.tif 000006
【図６】
0005681064.tif 000007